【事件の表示】
　特願２０００−１５３１９８号「マスカラ容器」拒絶査定不服審判事件〔平成１３年１１月２７日出願公開、特開２００１−３２７３２６号〕について、次のとおり審決する。
【結　論】
　本件審判の請求は、成り立たない。
【理　由】
　
Ｉ．手続の経緯
　本願は、平成１２年５月２４日に出願したものであって、平成１８年４月１２日付けで拒絶査定がなされ、これに対し、同年５月１８日に拒絶査定不服審判の請求がなされるとともに、同年６月１９日付けで手続補正がなされたものである。
　
II．平成１８年６月１９日付けの手続補正についての補正却下の決定
［補正却下の決定の結論］
　平成１８年６月１９日付けの手続補正（以下、「本件補正」という。）を却下する。
　
［理由］
１．補正後の本願発明
　本件補正により、特許請求の範囲の請求項１は、次のように補正された。
「開口部を有しマスカラを収納する容器本体と、この容器本体の開口部に通じる開口部分を有し容器本体の外側にかぶさる外筒と、前記開口部及び開口部分を通して容器本体内に挿入されマスカラを付着させるブラシを備えるキャップと、容器本体と外筒との相互間に配置されブラシに付着したマスカラを
絞り口において
　
前記外筒に、ワイパーの絞り口の周りに当接し、容器本体の周りで外筒を回動させてその長手方向に沿い移動させて当接度合いを変更してワイパーの口径調整を行なう先細り形状の環状押圧部材を設け、
　
前記ワイパーに、容器本体の開口部にて固定保持され環状押圧部材に沿って上方に延びる環状壁を設け、
　
前記ワイパーの環状壁と環状押圧部材の相互間に、環状壁及び環状押圧部材の少なくとも一方において一体的に形成され、その相対面に対して弾性的に接触して絞り取られたマスカラの外筒の内側への入り込みを防止するシール部材を配置してなる、
　
２．補正の目的の適否
　本件補正は、請求項１に記載した発明を特定するために必要な事項である「ワイパー」の位置を限定するために、「
絞り口において
　
３．独立特許要件
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
３−１．引用例の記載事項
　原査定の拒絶の理由に引用された、特開平７−２４６１１２号公報（以下、「引用例１」という）には、図面と共に次の事項が記載されている。
　
ａ．「マスカラを収容する内筒が外筒の内部に挿入され、この内筒は前記外筒の内面と内筒の外面との間に設けられたねじ機構によって外筒に対し回動可能且つ上下動可能にされ、前記外筒の上端の口部に螺合するキャップからは前記内筒を挿脱可能なブラシ軸が延び、内筒の上端には前記ブラシ軸の先端に設けたブラシをしごくしごき部材が設けられており、前記内筒を外筒に対して上下動することによって前記しごき部材の絞り径を可変することができるマスカラ塗布具……。」（【特許請求の範囲】の【請求項１】）
　
ｂ．「〔第１実施例〕初めに、第１の発明に係るマスカラ塗布具について図１から図３を参照して説明する。マスカラ塗布具の外筒１は上端に口部２を有し下端が開口している。外筒１の内部には有底の内筒１０がシール状態に上下方向及び周方向に摺動自在に挿入されている。内筒１０内にはマスカラが収容される。
　外筒１の下部内側には、内周面に螺旋突起３ａを有するねじリング３が固定されている。一方、内筒１０の下部外周面には前記ねじリング３の螺旋突起３ａが係合する螺旋溝１１が設けられている。これら螺旋突起３ａと螺旋溝１１で構成されたねじ機構によって、内筒１０を外筒１に対して回動すると内筒１０が外筒１に対して上下動するようになっている。」（明細書　段落【００１４】〜【００１５】）
　
ｃ．「内筒１０の上端開口部には筒状をなす押え部材１２が固定されており、この押え部材１２にしごき部材１３が取り付けられている。しごき部材１３は合成ゴム等の弾性材で形成されており、押え部材１２に支持された筒部１３ａの上部外周縁からしごき片１３ｂが中央に向かって延び、しごき片１３ｂの先端に囲まれた内側が挿通孔１３ｃとなるように構成されている。
　外筒１の内部には、口部２の基部から下方に延びてその先端が前記しごき部材１３のしごき片１３ｂに当接する筒状の裏当て部材４が設けられている。外筒１の口部２にはキャップ２０が螺合可能になっており、キャップ２０には外筒１との間をシールするパッキン２１が取り付けられている。キャップ２０はパッキン２１を貫通して下方に延びるブラシ軸２２を有し、ブラシ軸２２の先端にナイロン製のブラシ２３が固定されている。ブラシ軸２２は外筒１の口部２から裏当て部材４を通り、しごき部材１３の挿通孔１３ｃを通って、内筒１０内に挿脱可能になっている。
　ブラシ２３は前記挿通孔１３ｃを通る際に、しごき片１３ｂによってしごかれるようになっている。挿通孔１３ｃの径（以下、絞り径という）は可変になっていて、ブラシ２３のしごき強さを変えることができるようになっている。
　即ち、図１（Ａ）は挿通孔１３ｃの絞り径を小さくして、しごき強さを強くした状態であり、この状態よりも内筒１０を上昇させると裏当て部材４がしごき部材１３のしごき片３ｂに強く当たり、図１（Ｂ）に示すように、しごき部材１３のしごき片１３ｂが弾性屈曲して傾斜角度を強め、挿通孔１３ｃの絞り径が大きくなって、しごき強さが弱まる。」（明細書　段落【００１６】〜【００１９】）
　
ｄ．図１、図４には、内筒１０の上端開口部に固定された筒状をなす押え部材１２の上端が筒状の裏当て部材４に沿って上方に延びた環状壁をなしている点が図示されている。
　
　上記記載事項及び図示内容を総合し、本願補正発明の記載ぶりに則って整理すると、引用例１には、次の発明（以下、「引用発明」という。）が記載されている。
　
「上端開口部を有しマスカラを収納する内筒１０と、この内筒１０の上端開口部に通じる口部２を有し内筒１０の外側にかぶさる外筒１と、前記上端開口部及び口部２を通して内筒１０内に挿入されマスカラを付着させるブラシ２３を備えるキャップ２０と、内筒１０と外筒１との相互間に配置されブラシ２３に付着したマスカラを挿通孔１３ｃにおいて絞り取るしごき部材１３とを備えたマスカラ塗布具であって、前記外筒１に、しごき部材１３の挿通孔１３ｃの周りに当接し、内筒１０の周りで外筒１を回動させてその長手方向に沿い移動させて当接度合いを変更してしごき部材１３の挿通孔１３ｃの絞り径調整を行なう筒状の裏当て部材４を設け、前記しごき部材１３に、内筒１０の上端開口部にて固定保持され筒状の裏当て部材４に沿って上方に延びる環状壁となる筒状の押え部材１２を設けたマスカラ塗布具。」
　
　また、原査定の拒絶の理由に引用された、特開昭６１−５８１２号公報（以下、「引用例２」という）には、図面と共に次の事項が記載されている。
　
ｅ．「（１）流体状又はペースト状の化粧剤用のためと、このために取付けた取りはずし自在のキヤツプと、このキヤツプに一体にほぼその軸線に沿って配置されこのキヤツプに対して突出する柄部分と、この柄部分の延長部分で前記キヤツプとは反対の側の柄部分端部に取付けたブラシとを備え、このブラシがぬぐい部片の唇状部により周縁部を仕切つた穴により前記ため内に入込むようにし、前記唇状部が休止状態にあるときに前記穴が自由状態における前記ブラシの横断面より小さい横断面を持ち、前記ために取付けられ前記ぬぐい部片の唇状部の化粧剤を入れてない側に配置した栓に入口ダクトを形成し、この入口ダクトの縦方向軸線を前記ブラシが前記ため内に入込む前記穴の軸線にほぼ同じにし、前記ぬぐい部片から最も遠く離れた前記入口ダクトの穴が自由状態における前記ブラシの横断面より大きい横断面を持つようにした、とくにまつげ用の化粧単位において、栓及びぬぐい部片がこのぬぐい部片の前記栓の隣接端部に接触する第１の位置と前記ぬぐい部片の唇状部を前記栓の隣接端部から間隔を隔て前記のぬぐい部片及び栓間に伸張室を構成するようにした第２の位置との間で可変の相対位置を持ち、前記ぬぐい部片に最も近い入口ダクト穴が自由状態におけるブラシの横断面より小さい横断面を持つようにしたことを特徴とする化粧単位。」（特許請求の範囲の第（１）項）
　
ｆ．「（２３）栓及びぬぐい部片の間の第１の位置で、前記栓の自由縁部がぬぐい唇状部により周縁部を仕切つた穴内に入込みこの唇状部を後退させることができるようにしたことを特徴とする特許請求の範囲第（１）項ないし第（２２）項のいずれかに記載の化粧単位。」（特許請求の範囲の第（２３）項）
　
ｇ．「本発明は、化粧単位、ことにマスカラとも呼ばれるまつげ用の補強剤によりまつげを化粧するようにした化粧単位に関する。」（明細書第３頁左上欄第１１〜１３行）
　
ｈ．「ため２０２の口には円筒形のスリーブ２１６を固定してある。……さらにフランジ２３６の外周縁部２３８は、ため２０２に向つて広がる円すい台形にしてある。
　スリーブ２１６はその下部部分をぬぐい部片２１３に連結してある。ぬぐい部片２１３は、柔軟なぬぐい唇状部２１５によりスリーブ２１６の外側で周縁部を仕切つた円形の穴２１４を持つ環状の座板により構成してある。ぬぐい唇状部２１５は、ため２０２の底部に向つて狭まる円すい台形の形状を持ち、半径方向面に配置され唇状部２１５に一層高いたわみ性を与えるようにしたみそ穴２１５ａを形成してある。
　スリーブ２１６内には栓２０５を滑動するように取付けてある。」（明細書第６頁左上欄第２行〜同頁右上欄４行）
　
ｉ．「栓２０５はその下部区域内の外部に２つの周辺密封環２３９ａ、２３９ｂを形成してある。栓２０５及びスリーブ２１６間を密封するにはスリーブ２１６の内壁に形成するビードを同じようにして設ければよい。」（明細書第６頁右上欄第１３〜１７行）
　
ｊ．「次に第５図、第６図及び第７図には本発明の第２の実施例による化粧単位を示してある。この化粧単位の各部分は、第１図ないし第４図の化粧単位の各対応部品を表わすのに使つた参照数字に対して１００を加えた参照数字により表わしてある。」（明細書第７頁右下欄第２０行〜第８頁左上欄第４行）
　
ｋ．「栓３０５に関してはこの栓はその外形が唇状部３１５の近くで、唇状部３１５に向い進行的に減小する横断面を持つ。すなわち栓３０５には、後述する機能を持つテーパ付き自由縁部３０５ａを設けてある。
　第５図ないし第７図の化粧単位の操作は第１図ないし第４図の化粧単位の操作に比べて、第７図の末端位置で栓３０５はその剛性の下部自由縁部３０５ａが柔軟性の唇状部３１５により仕切つた穴内に入込むことを除いて同様である。唇状部３１５は、各みぞ穴３１５ａの存在により容易に後退する。使用者はこの場合これ等の条件のもとて第１図ないし第４図の化粧単位の栓２０５及びぬぐい唇状部２１３の同様な相対位置で得られるぬぐい作用より弱いぬぐい作用が得られる。その理由はこの場合ぬぐい部が栓３０５の内周縁部３０５ａだけにより構成されるからである。」（明細書第８頁左上欄第１９行〜第８頁右上欄第１５行）
　
ｌ．第５図、第７図には、栓３０５の下部区域内の外部に２つの周辺密封環２３９ａ、２３９ｂに相当する部材３３９ａ、３３９ｂを一体的に形成してある点、及び該部材３３９ａ、３３９ｂによって、外筒に相当するカラー３４１の内側空間と唇状部３１５を有する空間とが遮蔽されている点が図示されている。
　
　上記記載事項及び図示内容を総合すると、第５図、第６図及び第７図に記載の、引用例２の発明の第２の実施例による化粧単位の各部分は、第１図ないし第４図の化粧単位の各対応部品を表わすのに使った参照数字に対して１００を加えた参照数字により表わしていることより、第５図、第７図に記載の３０５は「栓」、３１６は「スリーブ」、３１６は「ぬぐい部片」、３３９ａ、３３９ｂは「周辺密封環」であり、「スリーブ３１６はその下部部分をぬぐい部片３１３に連結してある」と共に「栓３０５はその下部区域内の外部に２つの周辺密封環３３９ａ、３３９ｂ」を一体的に形成してあるものであって、「栓３０５及びスリーブ３１６間を密封するにはスリーブ３１６の内壁に形成するビードを同じようにして設ければよい」ものであり、また、周辺密封環３３９ａ、３３９ｂにて栓３０５及びスリーブ３１６間、すなわち外筒に相当するカラー３４１の内側空間と唇状部３１５を有する空間とを密封することより、絞り取られた化粧剤であるマスカラの、外筒に相当するカラー３４１の内側への入り込みを防止しているといえるから、引用例２には、次の点の構成が記載されている。
　
「まつげ用の化粧単位において、栓３０５の剛性のテーパ付き下部自由縁部３０５ａが柔軟性の唇状部３１５により仕切った穴内に入込むような栓３０５の下部区域内の外部に２つの周辺密封環３３９ａ、３３９ｂを一体的に形成し、下部部分をぬぐい部片３１３に連結してあるスリーブ３１６及び栓３０５間を密封し、絞り取られた化粧剤であるマスカラの外筒に相当するカラー３４１の内側への入り込みを防止する」点。
　
３−２．対比
　本願補正発明と引用発明とを対比すると、引用発明の「上端開口部」、「口部２」、「内筒１０」、「外筒１」、「ブラシ２３」、「キャップ２０」、「挿通孔１３ｃ」、「しごき部材１３」、「マスカラ塗布具」、「筒状の裏当て部材４」は、それぞれ本願補正発明の「開口部」、「開口部分」、「容器本体」、「外筒」、「ブラシ」、「キャップ」、「絞り口」、「ワイパー」、「マスカラ容器」、「先細り形状の環状押圧部材」に相当し、引用発明の「しごき部材１３の挿通孔１３ｃの絞り径調整」は本願補正発明の「ワイパーの口径調整」に相当するから、本願補正発明の用語を用いて表現すると、両者は次の点で一致する。
　
（一致点）
「開口部を有しマスカラを収納する容器本体と、この容器本体の開口部に通じる開口部分を有し容器本体の外側にかぶさる外筒と、前記開口部及び開口部分を通して容器本体内に挿入されマスカラを付着させるブラシを備えるキャップと、容器本体と外筒との相互間に配置されブラシに付着したマスカラを絞り口において絞り取るワイパーとを備えた容器であって、前記外筒に、ワイパーの絞り口の周りに当接し、容器本体の周りで外筒を回動させてその長手方向に沿い移動させて当接度合いを変更してワイパーの口径調整を行なう先細り形状の環状押圧部材を設け、前記ワイパーに、容器本体の開口部にて固定保持され環状押圧部材に沿って上方に延びる環状壁を設けたマスカラ容器。」
　
　そして、両者は次の相違点１で相違する。
（相違点）
　本願補正発明は、「ワイパーの環状壁と環状押圧部材の相互間に、環状壁及び環状押圧部材の少なくとも一方において一体的に形成され、その相対面に対して弾性的に接触して絞り取られたマスカラの外筒の内側への入り込みを防止するシール部材を配置してなる」構成であるのに対し、引用発明は、そのような構成ではない点。
　
３−３．相違点の判断
　上記相違点について検討する。
（相違点について）
　引用例２には、上記３−１より、「まつげ用の化粧単位において、栓３０５の剛性のテーパ付き下部自由縁部３０５ａが柔軟性の唇状部３１５により仕切った穴内に入込むような栓３０５の下部区域内の外部に２つの周辺密封環３３９ａ、３３９ｂを一体的に形成し、下部部分をぬぐい部片３１３に連結してあるスリーブ３１６及び栓３０５間を密封し、絞り取られた化粧剤であるマスカラの外筒に相当するカラー３４１の内側への入り込みを防止する」点の構成が記載されており、また、引用例２に記載の構成の「栓３０５の剛性のテーパ付き下部自由縁部３０５ａ」、「ぬぐい部片３１３」及び「柔軟性の唇状部３１５」、「スリーブ３１６」、「周辺密封環３３９ａ、３３９ｂ」は、それぞれ本願補正発明の「環状押圧部材」、「ワイパー」、「環状壁」、「シール部材」に相当するから、引用例２には、環状押圧部材に相当するテーパ付き下部自由縁部３０５ａを有する栓３０５と、ワイパーに相当する柔軟性の唇状部３１５を備えたぬぐい部片３１３に連結してある、環状壁に相当するスリーブ３１６とを、栓３０５に一体的に形成した周辺密封環３３９ａ、３３９ｂにて密封し、絞り取られたマスカラの外筒の内側への入り込みを防止する構成が記載されており、ここで、一般に容器における密封においては、密封する部材の相互間にシール部材等を設けて、相対面に対して弾性的に接触して密封することが、従来周知［例えば、実願昭５５−２９０１０号（実開昭５６−１３１３６０号）のマイクロフィルム（可撓性の環状襞片３による密閉容器の密栓構造参照）、実願昭５８−７９２９０号（実開昭５９−１８３８６０号）のマイクロフィルム（可撓性の例えば軟質ポリエチレンで成形された舌片２３、２４にて容器を密封する点参照）、実願昭５３−１７７６９６号（実開昭５５−９３６４８号）のマイクロフィルム（弾性による反撥力によって瓶内口壁に圧着される広縁部４参照）、実願平５−５１７４６号（実開平７−２１５６１号）のＣＤ−ＲＯＭ（口筒１７内周面に密接する環状弾性突片８参照）、特開平１１−４９２１３号公報（円環状内周面９に直接接触して、蓋２のシール機能を果たす弾性シール突条１０参照）、等参照］であるから、周辺密封環３３９ａ、３３９ｂにて密封するということは、シール部材に相当する周辺密封環３３９ａ、３３９ｂにて、密封する部材の相互間に、相対面に対して弾性的に接触して密封することに他ならず、すなわち、引用例２には、「環状押圧部材に相当するテーパ付き下部自由縁部３０５ａを有する栓３０５と、ワイパーに相当する柔軟性の唇状部３１５を備えたぬぐい部片３１３に連結してある、環状壁に相当するスリーブ３１６とを、栓３０５に一体的に形成した周辺密封環３３９ａ、３３９ｂにて密封する部材の相互間に、相対面に対して弾性的に接触して密封し、絞り取られたマスカラの外筒の内側への入り込みを防止する構成」が記載されているといえるから、これを引用発明に適用して、上記相違点に係る本願補正発明の「ワイパーの環状壁と環状押圧部材の相互間に、環状壁及び環状押圧部材の少なくとも一方において一体的に形成され、その相対面に対して弾性的に接触して絞り取られたマスカラの外筒の内側への入り込みを防止するシール部材を配置してなる」構成とすることは、当業者であれば容易に想到し得たことである。
　
　そして、本願補正発明による効果も、引用発明及び引用例２に記載の構成から当業者が予測し得た程度のものであって、格別のものとはいえない。
　
　したがって、本願補正発明は、引用発明及び引用例２に記載の構成に基いて、当業者が容易に発明をすることができたものであるので、特許法第２９条第２項の規定により、特許出願の際独立して特許を受けることができない。
　
３−４．むすび
　したがって、本件補正は、平成１８年改正前特許法第１７条の２第５項において準用する同法第１２６条第５項の規定に違反しているので、特許法第１５９条第１項において読み替えて準用する同法第５３条第１項の規定により却下すべきものである。
　
III．本願発明
　本件補正は、上記のとおり却下されたので、本願の請求項１に係る発明（以下、同項記載の発明を、「本願発明」という。）は、拒絶査定時の特許請求の範囲の請求項１に記載された事項により特定される、以下のとおりのものである。
　
「開口部を有しマスカラを収納する容器本体と、この容器本体の開口部に通じる開口部分を有し容器本体の外側にかぶさる外筒と、前記開口部及び開口部分を通して容器本体内に挿入されマスカラを付着させるブラシを備えるキャップと、容器本体と外筒との相互間に配置されブラシに付着したマスカラを絞り取るワイパーとを備えた容器であって、
　外筒はワイパーの絞り口の周りに当接する先細り形状の環状押圧部材を有するものであり、
　前記ワイパーは、容器本体の開口部にて固定保持され環状押圧部材に沿って上方に延びる環状壁を有し、容器本体の周りで外筒を回動させてその長手方向に沿う移動にて環状押圧部材の先端部との当接度合いを変更してワイパーの口径調整を行うものであり、
　ワイパーの環状壁と環状押圧部材の相互間にシール部材を配置してなる、ことを特徴とするマスカラ容器。」
　
IV．引用例の記載事項
　原査定の拒絶の理由に引用された引用例、及びその記載事項は、前記II．３−１に記載したとおりである。
　
Ｖ．対比・判断
　本願発明は、前記II．１の本願補正発明から、マスカラを絞り取る箇所として「絞り口において」との発明特定事項及びワイパーの環状壁と環状押圧部材の相互間に配置してなるシール部材において、「少なくとも一方において一体的に形成され、その相対面に対して弾性的に接触して絞り取られたマスカラの外筒の内側への入り込みを防止する」との発明特定事項を省いたものである。
　そうすると、本願発明の発明特定事項をすべて含み、さらに他の発明特定事項を付加したものに相当する本願補正発明が、前記II．３−２、３−３に記載したとおり、引用発明及び引用例２に記載の構成に基いて、当業者が容易に発明をすることができたものであるから、本願発明も、同様に、引用発明及び引用例２に記載の構成に基いて、当業者が容易に発明をすることができたものである。
　
VI．むすび
　以上のとおり、本願発明は、引用発明及び引用例２に記載の構成に基いて、当業者が容易に発明をすることができたものであるから、特許法第２９条第２項の規定により、特許を受けることができない。
　よって、結論のとおり審決する。